(57)【要約】      （修正有）【課題】流体を移送する作業において第１ホースと第２ホースを分離する時に、継手操作員の手や腕が第１ホースに誤って吸い込まれるのを防止して、継手操作員の安全を確保できるホース継手を提供する。【解決手段】長円形状の金属板２の一方の端部に第２ホースの内径と同一の内径を有する流体通過孔３を設け、かつ金属板２の他方の端部に内径１０ｍｍ以下の小径孔を複数個配列した小径孔群４を設けてなる吸い込み防止板１と、吸い込み防止板１に設けられた流体通過孔３に第２ホースの後端を当接させ、かつ流体通過孔３の中心と第２ホースの後端の中心とを一致させて吸い込み防止板１の上面に固定するホース固定具と、吸い込み防止板１の下面に第１ホースの他端を当接させ、かつ吸い込み防止板１に設けられた流体通過孔３と小径孔群４との間を摺動可能に第１ホースの他端を保持するホース摺動保持具と、を有するホース継手である。【選択図】図１
0003218763.tif 000002
【実用新案登録請求の範囲】
【請求項１】
流体を吸引するための吸引装置に一端を連結された第１ホースの他端に、
前記流体が先端から流入する第２ホースの後端を連結するホース継手であって、
長円形状の金属板の一方の端部に前記第２ホースの内径と同一の内径を有する流体通過孔を設け、かつ前記金属板の他方の端部に内径10mm以下の小径孔を複数個配列した小径孔群を設けてなる吸い込み防止板と、
前記吸い込み防止板に設けられた前記流体通過孔に前記第２ホースの前記後端を当接させ、かつ前記流体通過孔の中心と前記第２ホースの前記後端の中心とを一致させて前記吸い込み防止板の上面に固定するホース固定具と、
前記吸い込み防止板の下面に前記第１ホースの前記他端を当接させ、かつ前記吸い込み防止板に設けられた前記流体通過孔と前記小径孔群との間を摺動可能に前記第１ホースの前記他端を保持するホース摺動保持具と、
を有することを特徴とするホース継手。
【請求項２】
前記ホース固定具に、前記吸い込み防止板を摺動させるための把手を配設することを特徴とする請求項１に記載のホース継手。
【考案の詳細な説明】
【技術分野】
【０００１】
本考案は、流体を移送するホースを連結するために使用する継手（以下、ホース継手という）に関するものである。
【背景技術】
【０００２】
流体（たとえば液体、気体等）を移送するにあたって、ホースの一端を吸引装置（たとえばポンプ等）に連結し、ホースの他端（すなわち吸い込み口）から流体を吸引することによって、ホース内を通過させて流体を他の場所へ移送する技術が広く普及している。このような流体の移送作業を開始する際には、流体内のホースの吸い込み口の位置を調整する作業（以下、吸引調整作業という）が発生する。その後、長時間にわたって流体の移送作業を行なって流体量が減少した場合にも、吸引調整作業が発生する。
【０００３】
流体の移送作業中に、吸引調整作業を行なう作業員（以下、吸引調整作業員という）の手や腕がホースの吸い込み口に誤って吸い込まれた時は、直ちに移送作業を停止する必要がある。その時、吸引装置の動力を遮断しても、吸引装置が惰性で暫く稼働するので、吸引調整作業員の安全に関わる問題が生じる。
【０００４】
そこで、ホースの中間（すなわち吸い込み口と吸引装置との間）にホース継手を取り付けて、流体の移送作業を行なう技術が実用化されている。以下では、吸引装置からホース継手に到るホースを第１ホースと記し、ホース継手から吸い込み口に到るホースを第２ホースと記して、各ホースの区別を明確にする。
【０００５】
そして、吸引調整作業員の手や腕が第２ホースに誤って吸い込まれた時は、直ちにホース継手を操作して第２ホースを第１ホースから分離させる。その結果、第２ホースには吸引装置による吸引力が作用しないので、吸引調整作業員の安全を確保することができる。なお、第２ホースを第１ホースから分離させるためにホース継手を操作する作業員（以下、継手操作員という）は、吸引調整作業員とは別である。
【０００６】
従来から、ホースを容易に連結することが可能で、しかも簡単に着脱できるホース継手が種々開発されている（たとえば特許文献１、２）が、これらのホース継手を用いた場合は、第２ホースを第１ホースから分離させる時に、継手操作員の手や腕が第１ホースに誤って吸い込まれる危険性がある。このような継手操作員の安全に関わる問題を解消することが可能なホース継手は、未だ実用化されていない。
【先行技術文献】
【特許文献】
【０００７】
【特許文献１】特開2014-145440号公報
【特許文献２】特開平10-148291号公報
【考案の概要】
【考案が解決しようとする課題】
【０００８】
本考案は、従来の技術の問題点を解消し、流体を移送する作業において第１ホースと第２ホースを分離する時に、継手操作員の手や腕が第１ホースに誤って吸い込まれるのを防止して、継手操作員の安全を確保できるホース継手を提供することを目的とする。
【課題を解決するための手段】
【０００９】
本考案は、流体を吸引するための吸引装置に一端を連結された第１ホースの他端に、
流体が先端から流入する第２ホースの後端を連結するホース継手であって、
長円形状の金属板の一方の端部に第２ホースの内径と同一の内径を有する流体通過孔を設け、かつ金属板の他方の端部に内径10mm以下の小径孔を複数個配列した小径孔群を設けてなる吸い込み防止板と、
吸い込み防止板に設けられた流体通過孔に第２ホースの後端を当接させ、かつ流体通過孔の中心と第２ホースの後端の中心とを一致させて吸い込み防止板の上面に固定するホース固定具と、
吸い込み防止板の下面に第１ホースの他端を当接させ、かつ吸い込み防止板に設けられた流体通過孔と小径孔群との間を摺動可能に第１ホースの他端を保持するホース摺動保持具と、
を有するホース継手である。
【００１０】
本考案のホース継手においては、ホース固定具に、吸い込み防止板を摺動させるための把手を配設することが好ましい。
【考案の効果】
【００１１】
本考案によれば、流体を移送する作業において第１ホースと第２ホースを分離する時に、継手操作員の手や腕が第１ホースに誤って吸い込まれるのを防止して、継手操作員の安全を確保できるので、産業上格段の効果を奏する。
【図面の簡単な説明】
【００１２】
【図１】本考案のホース継手を構成する吸い込み防止板の例を模式的に示す平面図である。
【図２】本考案のホース継手を用いて第１ホースと第２ホースを連結した例を模式的に示す側面図である。
【図３】本考案のホース継手を用いて第１ホースと第２ホースを分離した例を模式的に示す側面図である。
【考案を実施するための形態】
【００１３】
図１は、本考案のホース継手を構成する吸い込み防止板の例を模式的に示す平面図である。吸い込み防止板１は、図１に示すように、長円形状の金属板２の一方の端部に第２ホースの内径と同一の内径を有する流体通過孔３を有し、かつ金属板２の他方の端部に内径10mm以下の小径孔を複数個配列した小径孔群４を有する。なお以下では、吸い込み防止板１の両表面を明確に区別するために、図１中の上側の表面を上面と記し、下側の表面を下面と記す。
【００１４】
図２は、本考案のホース継手を用いて第１ホースと第２ホースを連結した例を模式的に示す側面図である。図２に示すように、第１ホース８の一端（図示せず）は吸引装置に連結される。第１ホース８の他端8aは、ホース摺動保持具６を介して、吸い込み防止板１の下面に保持される。この第１ホース８の他端8aの摺動については後述する。
【００１５】
一方で、第２ホース９の後端9bは流体通過孔３に当接し、かつ第２ホース９の中心と流体通過孔３の中心とを一致させて吸い込み防止板１の上面にホース固定具５を介して固定される。
【００１６】
そして、第１ホース８の他端8aを吸い込み防止板１の下面に沿って摺動させて、第１ホース８の中心を第２ホース９の中心（すなわち流体通過孔３の中心）に一致させ、さらに第２ホース９の先端9aを流体（図示せず）内に投入して吸引装置を稼働すると、流体は第２ホース９の先端9a（すなわち吸い込み口）から吸引される。この時、吸い込み防止板１の小径孔群４は、ホース固定具５およびホース摺動保持具６から大気中あるいは流体内に突出している。
【００１７】
こうして流体の移送作業を行ないながら吸引調整作業を行ない、吸引調整作業員の手や腕が第２ホースの先端9aに誤って吸い込まれた時には、継手操作員が第１ホース８の他端8aを吸い込み防止板１の下面に沿って摺動させ、第１ホース８の他端8aを流体通過孔３から小径孔群４へ相対的に移動させる。その結果、図３に示ように第１ホース８と第２ホース９が容易に分離される。
【００１８】
この状態では、吸引装置による吸引力は第１ホース８のみに作用し、第２ホース９には作用しないので、吸引調整作業員の安全を確保することができる。しかも、第１ホース８は小径孔群４に当接しているので、継手操作員の手や腕が第１ホース８に吸い込まれるのを防止できる。
【００１９】
そして吸引調整作業員が第２ホース９から離脱して、第２ホース９が正常に戻れば、第１ホース８を摺動させることによって小径孔群４から流体通過孔３へ相対的に移動させて、流体の移送作業を再開する。固定具５および／またはホース摺動保持具６に把手７を配設すれば、第１ホース８の摺動を容易に行なうことができる。
【実施例】
【００２０】
本考案者は、図２に示すように、本考案のホース継手を用いて第１ホース８と第２ホース９を連結した後、吸引装置を用いて第２ホース９の先端9aから大気を吸引しながら、把手７を把持して、吸い込み防止板１を摺動させ、図３に示ように第１ホース８と第２ホース９を分離した。その後、吸い込み防止板１を逆方向に摺動させて、再び図２に示すように第１ホース８と第２ホース９を連結した。これを１往復とし、一連の動作を繰り返して吸い込み防止板１を20往復させた。
【００２１】
こうして20往復させる間、吸い込み防止板１は円滑に摺動した。また、本考案者の手や腕が第１ホース８に吸い込まれる問題は発生しなかった。
【符号の説明】
【００２２】
１  吸い込み防止板
２  金属板
３  流体通過孔
４  小径孔群
５  ホース固定具
６  ホース摺動保持具
７  把手
８  第１ホース
8a  第１ホース８の他端
９  第２ホース
9a  第２ホースの先端
9b  第２ホースの後端
【図１】
0003218763.tif 000003
【図２】
0003218763.tif 000004
【図３】
0003218763.tif 000005